(57)【要約】【課題】  沈殿池の補修工事時に沈殿池の稼働効率低下を極力防止することのできる沈殿池の補修工事方法を提供する。【解決手段】  導水渠ａの原水の流れ方向に沿ってその導水渠ａに隣接して多数の池ｂ１，ｂ２…を配置して構成される沈殿池の補修工事方法であって、前記多数の池のうち、補修工事対象の池ｂ２に対応した導水渠ａの上流側及び下流側にその導水渠ａの水流を閉止する仮止水壁１０ａ，１０ｂをそれぞれ設置した後、それら仮止水壁１０ａ，１０ｂ間の導水渠ａ内及びその補修工事対象の池ｂ２から水を抜き、次いで、それら仮止水壁１０ａ，１０ｂ間に設けられた連絡管３０を開通させてその補修工事対象の池ｂ２の下流側に位置する池ｂ１に原水を供給しながら補修工事を行う。【選択図】        図５
2014042895.tif 000002
【特許請求の範囲】
【請求項１】
導水渠の原水の流れ方向に沿ってその導水渠に隣接して多数の池を配置して構成される沈殿池の補修工事方法であって、
前記多数の池のうち、補修工事対象の池に対応した導水渠の上流側及び下流側にその導水渠の水流を閉止する仮止水壁をそれぞれ設置した後、それら仮止水壁間の導水渠内及びその補修工事対象の池から水を抜き、次いで、それら仮止水壁間に設けられた連絡管を開通させてその補修工事対象の池の下流側に位置する池に原水を供給しながら補修工事を行うことを特徴とする沈殿池の補修工事方法。
【請求項２】
導水渠の原水の流れ方向に沿ってその導水渠に隣接して多数の池を配置して構成される沈殿池の補修工事で使用される補修工事用補助装置であって、
前記多数の池のうち、補修工事対象の池に対応した導水渠の上流側及び下流側にそれぞれ設置され、その導水渠の水流を閉止する一組の仮止水壁と、
前記一組の仮止水壁のそれぞれに設けられている開孔に取り付けられる開閉弁と、
前記一組の仮止水壁のそれぞれに取り付けられている開閉弁間に接続される連絡管と、を有することを特徴とする沈殿池の補修工事で使用される補修工事用補助装置。
【請求項３】
前記一組の仮止水壁のそれぞれに設けられている開孔に取り付けられる開閉弁は複数個であり、それら開閉弁間に接続される連絡管も複数個であることを特徴とする請求項２に記載の沈殿池の補修工事で使用される補修工事用補助装置。
【請求項４】
前記一組の仮止水壁のそれぞれに設けられている開孔に取り付けられる開閉弁は、それら一組の仮止水壁が前記導水渠に設置されたときに、前記補修工事対象の池側から離れた側に寄って設けられていることを特徴とする請求項２又は３に記載の沈殿池の補修工事で使用される補修工事用補助装置。
【発明の詳細な説明】
【技術分野】
【０００１】
本発明は、下水処理施設の最初沈殿池や最終沈殿池等の沈殿池の補修工事方法及びその補修工事で使用される補修工事用補助装置に関する。
【背景技術】
【０００２】
従来、この種の沈殿池内には、沈殿した汚泥を沈殿池底面の一端側に設けられているピットに移動して排出するためのブレード付きの無端チェーン機構や、浮上スカムを排出するための回転するパイプスキマ機構等の機器類が設けられている（特許文献１参照）。
【０００３】
また、沈殿池が下水処理施設に設けられる場合は、多数の池の集合体で構成されているとともに、各池には、上述の機器類がそれぞれ設けられている。そして、各池は、被処理水に当たる下水（原水）の流れる導水渠に隣接して配置されている。すなわち、各池は、導水渠の水流に沿う方向でその導水渠に隣接して多数配置して構成されていて、導水渠からそれぞれの池に原水が供給されるように構成されている（特許文献２参照）。
【先行技術文献】
【特許文献】
【０００４】
【特許文献１】特開２００７−１８５６２５号公報
【特許文献２】特開平１１−２９０８４７号公報
【発明の概要】
【発明が解決しようとする課題】
【０００５】
しかしながら、上記従来の導水渠に多数の池を接続して構成される沈殿池においては、各池に設けられている機器類の交換や修理、あるいは池本体の修理等の補修工事時には池から水を抜いて行われる。この補修工事の際は、補修工事対象池の導水渠に設けられている流入扉等の機器類も補修対象とされるため、補修工事には、補修工事対象池に対応する箇所の導水渠を止水し、そしてその止水部分の導水渠からの水抜きも行われるので、その補修工事対象の池以外の下流側の全ての池に対する原水の供給が停止され、沈殿池の稼働効率が低下するという欠点を有していた。
【０００６】
そこで、本発明は、上記欠点を解決するためになされたものであって、その目的は、沈殿池の補修工事時に沈殿池の稼働効率低下を極力防止することのできる沈殿池の補修工事方法及びその補修工事で使用される補修工事用補助装置を提供することにある。
【課題を解決するための手段】
【０００７】
本発明は上記課題を解決するためになされたもので、課題を解決する一手段として例えば以下の沈殿池の補修工事方法とする。
即ち、上記目的を達成するために、導水渠の原水の流れ方向に沿ってその導水渠に隣接して多数の池を配置して構成される沈殿池の補修工事方法であって、前記多数の池のうち、補修工事対象の池に対応した導水渠の上流側及び下流側にその導水渠の水流を閉止する仮止水壁をそれぞれ設置した後、それら仮止水壁間の導水渠内及びその補修工事対象の池から水を抜き、次いで、それら仮止水壁間に設けられた連絡管を開通させてその補修工事対象の池の下流側に位置する池に原水を供給しながら補修工事を行うことを特徴としている。
【０００８】
上記構成からなる沈殿池の補修工事方法は、補修工事対象の池に対応した導水渠部分が仮止水壁により区切られるとともに、その区切られた導水渠及び補修工事対象の池の水が抜き取られる。そして、仮止水壁間に設けられた連絡管を介してその補修工事対象の池の下流側に位置する池に原水が供給される。したがって、補修工事対象の池の下流側に位置する池を稼働することができるので、補修工事時における沈殿池の稼働効率低下を極力防止することができる。
【０００９】
更に、上記課題を解決する一手段として、補修工事で使用される補修工事用補助装置は、導水渠の原水の流れ方向に沿ってその導水渠に隣接して多数の池を配置して構成される沈殿池の補修工事で使用される補修工事用補助装置であって、前記多数の池のうち、補修工事対象の池に対応した導水渠の上流側及び下流側にそれぞれ設置され、その導水渠の水流を閉止する一組の仮止水壁と、前記一組の仮止水壁のそれぞれに設けられている開孔に取り付けられる開閉弁と、前記一組の仮止水壁のそれぞれに取り付けられている開閉弁間に接続される連絡管とを有することを特徴としている。
【００１０】
上記構成からなる補修工事用補助装置は、一組の仮止水壁、開閉弁及び連絡管で構成されるので、簡単な構成であるため容易に、かつ安価に実施することができる。また、この補修工事用補助装置一式を用意しておけば各池の補修工事に対処することができる。
【００１１】
または、上記課題を解決するための補修工事で使用される補修工事用補助装置は、一組の仮止水壁のそれぞれに設けられている開孔に取り付けられる開閉弁は複数個であり、それら開閉弁間に接続される連絡管も複数個であることを特徴としている。
【００１２】
上記構成からなる補修工事用補助装置は、開閉弁及び連絡管が複数個からなるので、補修工事対象の池の下流側に位置する池に対する原水供給量を容易に調整することができる。
【００１３】
または、上記課題を解決する補修工事で使用される補修工事用補助装置は、一組の仮止水壁のそれぞれに設けられている開孔に取り付けられる開閉弁は、それら一組の仮止水壁が導水渠に設置されたときに、補修工事対象の池側から離れた側に寄って設けられていることを特徴としている。
【００１４】
上記構成からなる補修工事用補助装置は、開閉弁は補修工事対象の池側から離れた側に寄って設けられているので、導水渠に設けられている機器類の補修工事の作業スペースを十分に確保することができる。
【発明の効果】
【００１５】
本発明に係る沈殿池の補修工事方法は、沈殿池の補修工事時における沈殿池の稼働効率低下を極力防止することができ、また、本発明に係る補修工事で使用される補修工事用補助装置は、構造が簡単で容易に実施することができる。
【図面の簡単な説明】
【００１６】
【図１】本発明に係る一実施の形態に係る沈殿池の補修工事方法を実施する前の下水処理施設を説明するための図であり、図１（ａ）は本実施の形態に係る沈殿池の補修工事方法を実施する前の下水処理施設の一部の平面図、図１（ｂ）は（ａ）のＸ１−Ｘ１線断面図である。
【図２】図２（ａ）は沈殿池の２号池の補修工事時の平面図、図２（ｂ）は図２（ａ）のＸ２−Ｘ２線断面図である。
【００１７】
【図３】図３（ａ）は沈殿池の２号池の補修工事時の平面図、図３（ｂ）は図３（ａ）のＸ３−Ｘ３線断面図である。
【図４】図４（ａ）は沈殿池の２号池の補修工事時の平面図、図４（ｂ）は図４（ａ）のＸ４−Ｘ４線断面図である。
【図５】図５（ａ）は沈殿池の２号池の補修工事時の平面図、図５（ｂ）は図５（ａ）のＸ５−Ｘ５線断面図である。
【発明を実施するための形態】
【００１８】
以下、本発明に係る一実施の形態例に係る沈殿池の補修工事方法及びその補修工事で使用される補修工事用補助装置を図面を参照して説明する。図１（ａ）は本発明に係る一実施の形態例の沈殿池の補修工事方法を実施する前の下水処理施設の一部の平面図、図１（ｂ）は同図（ａ）のＸ１−Ｘ１線断面図である。
【００１９】
下水処理施設は、導水渠ａ、沈殿池ｂ及び曝気槽ｃを含んで構成されている。実際の下水処理施設には、これら構成要素以外に汚泥処理装置等の多くの処理装置が含まれているが、本発明の説明に直接関係しないので省略されている。
【００２０】
導水渠ａは直線状の水路からなり、その一端側から他端側に向けて原水が流れるように構成されている。図１（ａ）の例では、右端側から左端側に向けて原水が流れるように構成されている。
【００２１】
沈殿池ｂは、多数の池ｂ１，ｂ２…の集合体で構成されている。そして、各池ｂ１，ｂ２…は、導水渠ａに隣接して配置されている。すなわち、各池ｂ１，ｂ２…は、導水渠ａの水流方向に沿ってその導水渠ａに隣接して配置されていて、各池ｂ１，ｂ２…に対応して開口されている開口部１，１…を介して導水渠ａからそれぞれの池ｂ１，ｂ２…に原水が供給されるように構成されている。
【００２２】
各開口部１，１…の導水渠ａ側には、流入扉２，２…がそれぞれ設けられている。これら流入扉２，２…は、図示しない上下動機構により上下動できるように構成されていて、流入扉２が降下されたときには、池への原水の供給が停止できるように構成されている（図１（ｂ）の２点鎖線で示される流入扉２参照）。なお、図２（ａ），（ｂ）以降の図面においては、図面を簡略化するために流入扉２は省略されている。
【００２３】
各池ｂ１，ｂ２…には、周知の池と同様に、図示しないが、沈殿した汚泥を池底面の一端側（導水渠ａ側）に設けられているピットに移動して排出するためのブレード付きの無端チェーン機構や、浮上スカムを排出するための回転するパイプスキマ機構等の機器類が設けられている。また、各池ｂ１，ｂ２…自体の構造は、沈殿部を一段とした通常の形式の他に、敷地面積を有効に利用するために沈殿部を上下に二段にした形式のものを採用することもできる。
【００２４】
なお、図１（ａ）の例では、沈殿池ｂは導水渠ａの流れ方向の一方側（図１（ａ）の例では下側）に並設されているが、実際の沈殿池では、導水渠ａの流れ方向の他方側（図１（ａ）の例では上側）にも並設され、一つの導水渠ａに対して池数が数十に及ぶことがある。以下、説明の便宜上、「池ｂ１」を「１号池」、「池ｂ２」を「２号池」、「池ｂ３」を「３号池」として説明する場合もある。
【００２５】
曝気槽ｃは、周知の曝気槽と同様に、沈殿池ｂの処理水である上澄水を受け入れて生物処理できるように構成されている。この曝気槽ｃで処理された処理水は、図示しない最終沈殿池で処理された後、塩素滅菌処理等の処理を受けて放流される。
【００２６】
以下、図２（ａ），（ｂ）〜図５（ａ），（ｂ）を用いて本発明の沈殿池の補修工事で使用される補修工事用補助装置について説明する。
【００２７】
補修工事用補助装置は、一組の仮止水壁１０ａ，１０ｂと、それら仮止水壁１０ａ，１０ｂに取り付けられている開閉弁２０ａ，２０ｂと、それら開閉弁２０ａ，２０ｂ間に取り付けられる連絡管３０とから構成されている。
【００２８】
仮止水壁１０ａ，１０ｂは、その幅は導水渠ａの水路幅よりも少し小さく、高さはその導水渠ａの深さに略等しい所定の肉厚を有する鋼板で構成されていて、導水渠ａに装着されたときに導水渠ａの水流を閉止できるとともに、パッキン部材等により水密が保てるように構成されている。
【００２９】
また、各仮止水壁１０ａ，１０ｂは、後述する図２（ａ），（ｂ）〜図５（ａ），（ｂ）に示されるように、仮止水壁１０ａ，１０ｂ間内の水が抜かれたときにも水圧に十分に耐えるよう構成されている。
【００３０】
開閉弁２０ａ，２０ｂのうち、開閉弁２０ａは、仮止水壁１０ａに設けられている開孔に取り付けられ、開閉弁２０ｂは、仮止水壁１０ｂに設けられている開孔に取り付けられる。そして、開閉弁２０ａは、仮止水壁１０ａが導水渠ａに装着されたときに沈殿池ｂ側と反対側寄りに設けられるとともに、上下方向に所定の距離を保って複数個（図示の例では３個）設けられ、開閉弁２０ｂは、仮止水壁１０ｂが導水渠ａに装着されたときに沈殿池ｂ側と反対側寄りに設けられるとともに、上下方向に所定の距離を保って複数個（図示の例では３個）設けられている。
【００３１】
連絡管３０は、仮止水壁１０ａに設けられている開閉弁２０ａと、仮止水壁１０ｂに設けられている開閉弁２０ｂとの間に設けられ、合成樹脂管等の管材で構成されている。この連絡管３０は、開閉弁２０ａ，２０ｂの数に合わせて用意され、後述する通水量に合わせて使用本数が決められる。
【００３２】
上記構成からなる補修工事用補助装置の使用方法については、後述の補修工事方法で説明するが、簡単な構成で容易に、かつ安価に実施することができる特長を有している。また、この補修工事用補助装置一式を用意しておけば各池の補修工事に対処できる特長を有している。さらに、この補修工事用補助装置は、開閉弁２０ａ，２０ｂ及び連絡管３０が複数個からなるので、補修工事対象の池の下流側に位置する池に対する原水供給量を容易に調整することができ、しかも、一組の仮止水壁１０ａ，１０ｂのそれぞれに設けられている開孔に取り付けられる開閉弁２０ａ，２０ｂは、それら一組の仮止水壁１０ａ，１０ｂが導水渠ａに設置されたときに、補修工事対象池側から離れた側に寄って設けられているので、導水渠ａに設けられている流入扉２等の機器類の補修工事の作業スペースを十分に確保することができる。
【００３３】
上述の下水処理施設においては、各池ｂ１，ｂ２…の各開口部１，１…が開かれていて導水渠ａから各池ｂ１，ｂ２…に原水が供給されて所定の沈殿処理が行われる（図１（ａ），（ｂ）参照）。なお、図１（ａ）中の矢印は水の流れを示している。図２（ａ）、図３（ａ）、図４（ａ）及び図５（ａ），（ｂ）中の矢印も同様である。
【００３４】
次に、上述した補修工事用補助装置を用いた沈殿池の補修工事方法について、図２（ａ），（ｂ）〜図５（ａ），（ｂ）を用いて説明する。
【００３５】
［図２（ａ），（ｂ）］
今、２号池ｂ２が補修工事対象の池とされたとする。この場合、先ず、２号池ｂ２の開口部１が流入扉２で閉止される（図１（ｂ）の２点鎖線で示される流入扉２参照）。次いで、仮止水壁１０ａ，１０ｂが導水渠ａに設置される。これにより、１号池ｂ１及び２号池ｂ２は稼働停止され、３号池ｂ３及びこの３号池ｂ３よりも上流側の池は稼働状態に保たれている。
【００３６】
仮止水壁１０ａは、１号池ｂ１及び２号池ｂ２の境界を画す壁位置に対応する位置に設置され、そして仮止水壁１０ｂは、２号池ｂ２及び３号池ｂ３の境界を画す壁位置に対応する位置に設置される。すなわち、仮止水壁１０ａは、補修工事対象の池の２号池ｂ２に対応した導水渠ａの下流側に設置され、仮止水壁１０ｂは、補修工事対象の池の２号池ｂ２に対応した導水渠ａの上流側に設置される。この状態における各仮止水壁１０ａ，１０ｂに取り付けられている開閉弁２０ａ，２０ｂは、閉止状態とされている。なお、図中の黒塗りのバルブ記号は閉止状態を示し、白抜きのバルブ記号（後述する図５（ａ），（ｂ）参照）は開放状態を示している。
【００３７】
［図３（ａ），（ｂ）］
導水渠ａに仮止水壁１０ａ，１０ｂが設置された後、２号池ｂ２及び仮止水壁１０ａ，１０ｂ間に位置する導水渠ａ内の水抜きが行われる。この水抜きは、２号池ｂ２の排泥用のピットに設けられている図示しない水抜き用弁を開放して行われる。この水抜き用弁を介して仮止水壁１０ａ，１０ｂ間に位置する導水渠ａ内の水抜きも行われる。なお、必要に応じて流入扉２が開放されて仮止水壁１０ａ，１０ｂ間に位置する導水渠ａ内の水抜きが行われる。
【００３８】
［図４（ａ），（ｂ）］
上述の水抜き終了後、仮止水壁１０ａに設けられている開閉弁２０ａと、仮止水壁１０ｂに設けられている開閉弁２０ｂとの間に連絡管３０が取り付けられる。取り付けられる連絡管３０の数は、補修工事対象の池の下流側に位置する池で必要とする原水量によってきめられる。図示の例では、全ての開閉弁２０ａ，２０ｂに連絡管３０が取り付けられることを示すために３本の連絡管３０が取り付けられているが、補修工事対象の池の下流側に位置する池数が少ないときは連絡管３０の取り付け本数は少なくてよい。
【００３９】
［図５（ａ），（ｂ）］
上述の連絡管３０の取り付け終了後、開閉弁２０ａ，２０ｂが開放される。これにより、補修工事対象の池である２号池ｂ２の下流側に位置する１号池ｂ１に連絡管３０を介して原水の供給が再開されて１号池ｂ１の沈殿処理が再開される。したがって、沈殿池の補修工事時に沈殿池の稼働効率低下を極力防止することができる。
【００４０】
上述の連絡管３０を介して２号池ｂ２の下流側に位置する１号池ｂ１をも稼働させつつ２号池ｂ２内に設けられている機器類の修理や交換等の補修工事が行われるとともに、必要に応じて２号池ｂ２の槽本体の補修が行われる。また、必要に応じて２号池ｂ２の開口部１を開閉する導水渠ａ内に設けられる流入扉２の修理や交換等の補修工事が行われる。したがって、本発明で「沈殿池の補修工事」というときは、池内の補修工事だけでなく、その池に対応した導水渠ａ内の補修工事も含まれている。
【００４１】
上述の補修工事終了後は、上述した順序と逆の作業が行われて２号池ｂ２の沈殿処理が再開される。すなわち、２号池ｂ２の開口部１の流入扉２が閉止された状態で開閉弁２０ａ，２０ｂが閉止された後、連絡管３０が取り外され、次いで、導水渠ａから仮止水壁１０ａ，１０ｂが引き出される。そして、２号池ｂ２の開口部１の流入扉２が開放されて２号池ｂ２内に原水が供給される。
【００４２】
以上、本発明に係る一発明の実施の形態例の沈殿池の補修工事方法及びその補修工事で使用される補修工事用補助装置について図面を参照して詳説したが、具体的な構成は、上記実施の形態例に限定されるものではなく、本発明の要旨を逸脱しない範囲において設計変更等が可能である。
【００４３】
例えば、上述の説明では、仮止水壁１０ａ，１０ｂを導水渠ａ内に設置後、それら仮止水壁１０ａ，１０ｂ間に連絡管３０を接続したが、これを陸上で行うようにしてもよい。すなわち、予め陸上で連絡管３０を接続した仮止水壁１０ａ，１０ｂを導水渠ａ内に設置するようにしてもよい。また、このように予め陸上で連絡管３０を接続する場合は、開閉弁２０ａ，２０ｂを省略することができる。したがって、本実施の形態例では、予め陸上で仮止水壁１０ａ，１０間に連絡管３０を接続する場合、及び開閉弁２０ａ，２０ｂを省略する場合をも含んでいる。
【符号の説明】
【００４４】
ａ……導水渠
ｂ……沈殿池
ｂ１……池（１号池）
ｂ２……池（２号池）
ｂ３……池（３号池）
ｃ……曝気槽
１……開口部
２……流入扉
１０ａ，１０ｂ……仮止水壁
２０ａ，２０ｂ……開閉弁
３０……連絡管
【図１】
2014042895.tif 000003
【図２】
2014042895.tif 000004
【図３】
2014042895.tif 000005
【図４】
2014042895.tif 000006
【図５】
2014042895.tif 000007